(57)【要約】【課題】  灰皿を適切な位置に配置しつつ、遊技媒体を貯留する受皿の貯留空間を拡大することが可能な遊技機を提供する。【解決手段】  灰皿６５を下皿５３の灰皿配置領域５３ｊに配置した状態では、遊技球は貯留部５３ｄの灰皿配置領域５３ｊを除く仕切り板５３ｉの右側領域のみに貯留されている。一方、灰皿６５を後方へ摺動移動させて灰皿収納部材６６の空間部６６ａ内に収納した状態では、灰皿配置領域５３ｊが開放されているので、灰皿配置領域５３ｊを含む貯留部５３ｄ全体にて遊技球を貯留可能となる。【選択図】        図１３
2006346307.tif 000002
【特許請求の範囲】
【請求項１】
遊技の実行に応じて遊技媒体の払出を行う本体と、底面部と周壁部とを有する凹状の貯留部内に前記遊技媒体を貯留する受皿と、煙草の灰や吸殻の受け口となる上面開口部を有する箱状の灰皿とを備えた遊技機において、
前記灰皿は、前記受皿の貯留部内に設定された第１位置と前記貯留部外に設定された第２位置との間を移動可能に構成されたことを特徴とする遊技機。
【発明の詳細な説明】
【技術分野】
【０００１】
本発明は、パチンコ遊技機やスロットマシン等の遊技機に関し、より詳細には、遊技媒体を貯留する受皿と煙草の灰や吸殻を入れる灰皿とを備えた遊技機に関する。
【背景技術】
【０００２】
従来より、パチンコ遊技機には、発射装置へ供給される遊技球を貯留する上皿と、上皿から溢れた遊技球を貯留する下皿とが設けられると共に、下皿の横側に灰皿を配置した物がある。このような構成により、遊技者は払い出された遊技球を円滑に操作でき、しかも遊技を行いながら喫煙をすることができる。
【０００３】
例えば、図２１に示す従来のパチンコ遊技機５０１では、上面に煙草の吸殻の受け口となる上面開口部５６５ａを備えた箱状に形成された灰皿５６５が、下皿５５３の側面にて左右方向の回動軸線を軸芯にして回動自在に支持され、使用状態では上面開口部５６５ａを上方に向けた状態となり、灰皿５６５の掃除の際には、前後方向に回動されて、上面開口部５６５ａを下方に向けた掃除状態となって灰皿５６５内の吸殻を排出するように構成されている（特許文献１等参照。）。
【特許文献１】特開２００４−３２１６３３号公報
【発明の開示】
【発明が解決しようとする課題】
【０００４】
ところで、パチンコ遊技機において、上皿は発射装置の打ち出し位置に対応して配置され、下皿は余剰球通路に対応して配置される。さらに、近年の遊技機では、遊技領域の大型化に伴って前面枠の視認用窓なども拡大する傾向にある。このように、上皿や下皿を設置するスペースは、益々限定されつつある。このような状況下で上皿や下皿の位置や大きさを大幅に変更することは困難である。
【０００５】
また、灰皿は、遊技者が遊技を行う場合に邪魔にならない位置に配置するのが好ましく、通常は、上皿又は下皿の横側に設けられるため、上皿等の横幅を狭めており、貯留部の大きさを遊技機本体の幅に対して最大限に設定することができなかった。
【０００６】
解決しようとする課題は、灰皿を適切な位置に配置しつつ、遊技媒体を貯留する受皿の貯留空間を拡大することが可能な遊技機を提供することである。
【課題を解決するための手段】
【０００７】
以下、上記課題を解決するのに適した各手段につき、必要に応じて作用効果等を付記しつつ説明する。
【０００８】
１．遊技の実行に応じて遊技媒体の払出を行う本体と、底面部と周壁部とを有する凹状の貯留部内に前記遊技媒体を貯留する受皿と、煙草の灰や吸殻の受け口となる上面開口部を有する箱状の灰皿とを備えた遊技機において、
前記灰皿は、前記受皿の貯留部内に設定された第１位置と前記貯留部外に設定された第２位置との間を移動可能に構成されたことを特徴とする遊技機。
手段１によれば、灰皿を受皿の貯留部内に設定された第１位置に位置させることができるので、本体前面に受皿とは別に灰皿を配設するためのスペースを確保する必要がなく、受皿を大型化することができる。また、灰皿を受皿の貯留部内に設定された第１位置から受皿の貯留部外に設定された第２位置へ移動させることにより、受皿の貯留部全体に遊技媒体の貯留空間が拡大され、より多くの遊技媒体を貯留可能となる。よって、例えば、常には灰皿を第１位置に位置させておき、大当り遊技状態等が発生して本体から払い出される遊技媒体が急増した場合に、灰皿を第２位置に移動させて受皿の貯留部における遊技媒体の貯留空間を拡大することができるので、受皿の貯留部が遊技媒体で満杯になるまでの時間を延長して、その間に遊技媒体貯留箱を用意することが可能となる。
【０００９】
２．前記灰皿は、前記上面開口部を上方に向けた姿勢で前記第１位置に配置されることを特徴とする手段１に記載の遊技機。
手段２によれば、灰皿が上面開口部を上方に向けた姿勢で受皿の貯留部内に設定された第１位置に配置されるので、灰皿が受皿の貯留部内に配置された状態で灰皿を使用する（つまり、煙草の灰や吸殻を灰皿の上面開口部へ投入する）ことができる。よって、例えば、遊技者が喫煙中であって灰皿を使用したい場合は、灰皿を受皿の貯留部内に設定された第１位置に配置しておくことにより、遊技者の手が届きやすく且つ遊技の邪魔にならない位置で灰皿を使用することができる。一方、大当り遊技状態等が発生して本体から払い出される遊技媒体が急増した場合、灰皿を第２位置に移動させて受皿の貯留部における遊技媒体の貯留空間を拡大することができる。
【００１０】
３．前記灰皿は、前記上面開口部を上方に向けた姿勢で前記第１位置と前記第２位置との間を移動可能に構成されたことを特徴とする手段２に記載の遊技機。
手段３によれば、灰皿が上面開口部を上方に向けた姿勢で第１位置と第２位置との間を移動可能であるので、煙草の灰や吸殻が灰皿の上面開口部内に収容したままの状態で、灰皿を第１位置から第２位置へ移動させて受皿の貯留部における遊技媒体の貯留空間を拡大することができる。
【００１１】
４．前記灰皿は、前面上部より前方へ突出形成されたツバ部を備え、
前記灰皿が前記第１位置に位置する状態で、前記ツバ部が前記受皿の周壁の上端面に重なることを特徴とする手段２又は３に記載の遊技機。
手段４によれば、灰皿が第１位置に位置する状態で、前面上部より前方へ突出形成されたツバ部が受皿の周壁の上端面に重なるので、遊技者が灰皿の上面開口部内に煙草の灰や吸殻を捨てる際に、灰皿と受皿との隙間から受皿の貯留部内に煙草の灰が入り込むことを防止することができる。
【００１２】
５．前記ツバ部は、煙草を置くための凹部が設けられた煙草置き部を備えたことを特徴とする手段４に記載の遊技機。
手段５によれば、灰皿のツバ部に煙草置き部を備えているので、遊技者は、煙草置き部の凹部に吸いかけの煙草を置くことができる。また、灰皿が第１位置に位置する状態で、ツバ部は受皿の周壁の上端面に重なるので、煙草置き部に置かれた吸いかけの煙草によって受皿の周壁等が汚れることを防止することができる。
【００１３】
６．前記灰皿が前記第１位置に位置する状態で、前記灰皿及び前記受皿の貯留部における貯留可能領域の上方空間を仕切る仕切り部材を備えたことを特徴とする手段２乃至４のいずれかに記載の遊技機。
手段６によれば、受皿の貯留部内に設定された第１位置に位置する灰皿及び受皿の貯留部における貯留可能領域（受皿の貯留部において灰皿により占有された領域以外の領域）の上方空間が仕切り部材によって仕切られているので、灰皿の上面開口部内に収容された煙草の灰が、遊技ホール内における人の移動に伴う風やエアコンから吹き出される風に飛ばされて、隣接する貯留可能領域内に入ることを防止することができる。
【００１４】
７．前記仕切り部材と前記底面部との間に遊技媒体が通過可能な開口が形成されていることを特徴とする手段６に記載の遊技機。
手段７によれば、仕切り部材と底面部との間に遊技媒体が通過可能な開口が形成されているので、灰皿が第２位置に移動されて受皿の貯留部における貯留可能領域が拡大された状態において、遊技媒体は仕切り部材によって移動を妨げられることなく貯留部内全体を移動することができる。
【００１５】
８．前記本体側に前記灰皿を収納可能な空間部を有する灰皿収納部材が設けられ、前記第２位置は、前記灰皿収納部材の空間部内に設定されたことを特徴とする手段１乃至７のいずれかに記載の遊技機。
手段８によれば、第２位置が本体側に設けられた灰皿収納部材の空間部内に設定されているので、灰皿を第２位置に位置させて受皿の貯留部における遊技媒体の貯留空間を拡大させた状態で灰皿が本体から外方へ突出して遊技の邪魔になることを防止することができる。
【００１６】
９．前記灰皿収納部材の空間部は、前記第１位置後方にて開口形成されたことを特徴とする手段８に記載の遊技機。
手段９によれば、灰皿収納部材の空間部は、第１位置後方にて開口形成されているので、灰皿を前後方向に移動させる簡単な操作で、受皿の貯留部内に設定された第１位置と灰皿収納部材の空間部内に設定された第２位置との間で灰皿の移動を行うことができる。
【００１７】
１０．前記第１位置と前記第２位置との間を前記灰皿が摺動移動可能に構成されたことを特徴とする手段１乃至９のいずれかに記載の遊技機。
手段１０によれば、灰皿を第１位置から第２位置へ摺動移動させる簡単な操作により、受皿の貯留部における遊技媒体の貯留空間を拡大することができる。
【００１８】
１１．前記第１位置と前記第２位置との間を移動可能な可動体を備え、
前記灰皿は、前記可動体に取り付けられたことを特徴とする手段１乃至１０のいずれかに記載の遊技機。
手段１１によれば、第１位置と第２位置との間を移動可能な可動体に灰皿が取り付けられているので、灰皿の構成を複雑化することなく第１位置と第２位置との間を円滑に移動可能な構成を実現することができる。
【００１９】
１２．前記灰皿は、前記可動体に回動可能に軸支されたことを特徴とする手段１１に記載の遊技機。
手段１２によれば、灰皿が可動体に回動可能に軸支されているので、灰皿が可動体に連結された状態で、上面開口部内に収容された煙草の灰や吸殻をゴミ箱等へ廃棄することができる。
【００２０】
１３．前記灰皿は、前記可動体に着脱可能に取り付けられたことを特徴とする手段１１に記載の遊技機。
手段１３によれば、灰皿が可動体に着脱可能に取り付けられているので、可動体が受皿側に取り付けられた状態で、灰皿のみを可動体から取り外して、上面開口部内に収容された煙草の灰や吸殻をゴミ箱等へ廃棄することができる。
【００２１】
１４．前記灰皿は、本体又は受皿に回動可能に軸支され、前記第１位置と前記第２位置との間を回転移動可能に構成されたことを特徴とする手段１乃至９のいずれかに記載の遊技機。
手段１４によれば、本体又は受皿に回動可能に軸支された灰皿を第１位置から第２位置へ回転移動させる簡単な操作で、受皿の貯留部における遊技媒体の貯留空間を拡大することができる。
【００２２】
１５．前記灰皿を前記第１位置に保持する第１保持手段と、前記灰皿を前記第２位置に保持する第２保持手段とを備えたことを特徴とする手段１乃至１４のいずれかに記載の遊技機。
手段１５によれば、灰皿が第１位置に位置する状態では第１保持手段によって確実に保持され、灰皿が第２位置に位置する状態では第２保持手段によって確実に保持される。例えば、灰皿が上面開口部を上方に向けた姿勢で第１位置に配置される構成では、灰皿へ煙草の灰や吸殻を入れる際に灰皿の位置がずれることを防止することができる。一方、灰皿を第２位置に移動した場合は、第２保持手段によって確実に保持されるので、振動等に起因して灰皿の位置が受皿の貯留部内にずれて遊技媒体の貯留が阻害される状態等の発生を防止することができる。
【００２３】
１６．前記受皿は、左右の少なくとも一方が前記本体側の端部近傍まで延設されていることを特徴とする手段１乃至１５のいずれかに記載の遊技機。
手段１６によれば、受皿は、左右の少なくとも一方が本体側の端部近傍まで延設されているので、灰皿を受皿の貯留部内に設定された第１位置に配置された状態においても、灰皿を受皿の横に隣接配置した従来構造と同程度に遊技媒体の貯留空間を確保でき、さらに、灰皿を受皿の貯留部外に設定された第２位置へ移動させることにより、遊技媒体の貯留可能空間を従来よりも大幅に拡大することができる。
【００２４】
１７．前記遊技機は、前記遊技媒体として遊技球を用いるパチンコ遊技機であり、
前記受皿は、前記遊技球を貯留する球受皿であることを特徴とする手段１乃至１６のいずれかに記載の遊技機。
手段１７によれば、パチンコ遊技機において、灰皿を球受皿の貯留部内に設定された第１位置に位置させることができるので、本体前面に球受皿とは別に灰皿を配設するためのスペースを確保する必要がなく、受皿を大型化することができる。また、灰皿を球受皿の貯留部内に設定された第１位置から球受皿の貯留部外に設定された第２位置へ移動させることにより、球受皿の貯留部全体に遊技媒体の貯留空間が拡大され、より多くの遊技球を貯留可能となる。
【００２５】
１８．前記球受皿は、前記本体より払い出された遊技球を貯留して発射装置へ供給する上皿から誘導された遊技球、前記本体より払い出された遊技球又は前記発射装置によって発射された遊技球のうち遊技盤に到達しなかった遊技球を受けて貯留する下皿であることを特徴とする手段１７に記載の遊技機。
手段１８によれば、パチンコ遊技機において、灰皿を下皿の貯留部内に設定された第１位置に位置させることができるので、本体前面に下皿とは別に灰皿を配設するためのスペースを確保する必要がなく、下皿の大型化が可能となる。特に、下皿の貯留部内は、遊技者の手が届きやすく且つ遊技の邪魔にならないので、灰皿の配設位置として適切である。また、灰皿を下皿の貯留部内に設定された第１位置から下皿の貯留部外に設定された第２位置へ移動させることにより、下皿の貯留部全体に遊技球の貯留空間が拡大され、上皿から誘導された遊技球、本体より払い出された遊技球又は発射装置によって発射された遊技球のうち遊技盤に到達しなかった遊技球をより多く貯留可能となる。よって、例えば、常には灰皿を第１位置に位置させておき、大当り遊技状態等が発生して本体から払い出される遊技球が急増した場合に、灰皿を第２位置に移動させて下皿の貯留部における遊技球の貯留空間を拡大することができるので、下皿の貯留部が遊技球で満杯になるまでの時間を延長して、その間に遊技球貯留箱（いわゆるドル箱）を用意することが可能となる。
【００２６】
１９．前記球受皿は、前記本体より払い出された遊技球を貯留して発射装置へ供給する上皿であることを特徴とする手段１７に記載の遊技機。
手段１９によれば、パチンコ遊技機において、灰皿を上皿の貯留部内に設定された第１位置に位置させることができるので、本体前面に上皿とは別に灰皿を配設するためのスペースを確保する必要がなく、上皿の大型化が可能となる。また、灰皿を上皿の貯留部内に設定された第１位置から上皿の貯留部外に設定された第２位置へ移動させることにより、上皿の貯留部全体に遊技球の貯留空間が拡大され、本体より払い出された遊技球をより多く貯留可能となる。
【００２７】
２０．前記遊技機は、複数種類の図柄が表示された複数の回転リールを有し、前記各回転リールの回転停止時の図柄の組合わせに基づく入賞態様に応じて前記遊技媒体としての遊技球が払い出されるパチロット遊技機であり、
前記受皿は、前記遊技球を貯留する球受皿であることを特徴とする手段１乃至１６のいずれかに記載の遊技機。
手段２０によれば、パチロット遊技機において、灰皿を球受皿の貯留部内に設定された第１位置に位置させることができるので、本体前面に球受皿とは別に灰皿を配設するためのスペースを確保する必要がなく、受皿を大型化することができる。また、灰皿を球受皿の貯留部内に設定された第１位置から球受皿の貯留部外に設定された第２位置へ移動させることにより、球受皿の貯留部全体に遊技媒体の貯留空間が拡大され、より多くの遊技球を貯留可能となる。
【００２８】
２１．前記遊技機は、前記遊技媒体としてメダルを用いるスロットマシンであり、
前記受皿は、前記メダルを貯留するメダル受皿であることを特徴とする手段１乃至１６のいずれかに記載の遊技機。
手段２１によれば、スロットマシンにおいて、灰皿をメダル受皿の貯留部内に設定された第１位置に位置させることができるので、本体前面にメダル受皿とは別に灰皿を配設するためのスペースを確保する必要がなく、メダル受皿を大型化することができる。また、灰皿をメダル受皿の貯留部内に設定された第１位置からメダル受皿の貯留部外に設定された第２位置へ移動させることにより、メダル受皿の貯留部全体にメダルの貯留空間が拡大され、より多くのメダルを貯留可能となる。
【発明の効果】
【００２９】
本発明によれば、灰皿を受皿の貯留部内に設定された第１位置に位置させることができるので、本体前面に受皿とは別に灰皿を配設するためのスペースを確保する必要がなく、受皿を大型化することができる。また、灰皿を受皿の貯留部内に設定された第１位置から受皿の貯留部外に設定された第２位置へ移動させることにより、受皿の貯留部全体に遊技媒体の貯留空間が拡大され、より多くの遊技媒体を貯留可能となる。よって、例えば、常には灰皿を第１位置に位置させておき、大当り遊技状態等が発生して本体から払い出される遊技媒体が急増した場合に、灰皿を第２位置に移動させて受皿の貯留部における遊技媒体の貯留空間を拡大することができるので、受皿の貯留部が遊技媒体で満杯になるまでの時間を延長して、その間に遊技媒体貯留箱を用意することが可能となる。
【発明を実施するための最良の形態】
【００３０】
以下、本発明の遊技機を具体化した各実施形態について説明する。最初に、第一の実施形態のパチンコ遊技機（以下、単に「パチンコ機」と称する）１について図面を参照しつつ説明する。パチンコ機１は、内部の遊技球払い出し機構を利用して遊技球の貸し出しを行うＣＲ機と称されるタイプのパチンコ機であり、遊技ホールでは図示しないカードユニットが隣接配置され且つ電気的に接続される。図１は、本実施形態のパチンコ機１を示す正面図、図２は、パチンコ機１を示す側面図である。
【００３１】
パチンコ機１は、図１乃至図２に示すように、外枠２と、その外枠２の前部に設けられ外枠２の一側部にて開閉可能に支持され且つ遊技領域１４を有する本体枠３とを備えている。外枠２は、パチンコ機１のベースとなる枠であり、板材により全体として矩形状に構成され、本体枠３を矩形開口内にて開閉可能に支持している。尚、本実施の形態では、外枠２の上下方向の長さは８０８ｍｍ、左右方向の長さは５２０ｍｍとなっている。
【００３２】
本体枠３は、合成樹脂、具体的にはＡＢＳ樹脂により構成されている。本体枠３の開閉軸線はパチンコ機１の正面から見て左側に上下に延びるように設定されている。尚、外枠２は樹脂により構成されていてもよく、あたかも外枠２及び本体枠３が一体物に見えるように構成されていてもよい。本体枠３には、後述する下皿ユニット５１を除く本体枠３の前面側を覆うように、ガラス扉枠４が本体枠３左端の垂直軸心回りに開閉自在に設けられている。
【００３３】
ガラス扉枠４の開閉軸線（軸支部）は、パチンコ機１の正面から見て左側に上下に延びるように設定されている。詳しくは、ガラス扉枠４の左側の上端部付近に図示しない回動軸が設けられ、本体枠３の正面から見て左側の上端部付近には回動軸が嵌め込まれる軸受部９２が設けられている。また、軸受部９２の下方には、上方に突出する突回動軸９３が設けられ、ガラス扉枠４の下側面には、前記回動軸の下方位置において、前記突回動軸９３を嵌め込むための図示しない軸受凹部が設けられている。そして、突回動軸９３を前記軸受凹部に嵌め込み、回動軸を軸受部９２に嵌め込むことによって、ガラス扉枠４が軸支され開閉可能となる。このように本実施の形態では、回動軸と突回動軸９３を結ぶ線がガラス扉枠４の開閉軸線として設定されている。
【００３４】
本体枠３の後側（ガラス扉枠４の奥、外枠２の内側）には、図３に示すように、遊技盤５が着脱可能に装着されている。尚、図３は、ガラス扉枠４を開放した状態における本体枠３、遊技盤５等を示す正面図である。遊技盤５は、その周縁部が本体枠３の裏側に当接した状態で取り付けられており、図３では、遊技盤５の前面部の略中央部分だけが本体枠３の前面側に露出した状態となっている。この遊技盤５の上下方向の長さは４７６ｍｍ、左右方向の長さは４５１ｍｍとなっている。また、遊技盤５には、ルータ加工が施されることによって複数の開口部が形成されており、各開口部には、普通入賞チャッカー６、可変入賞装置７、作動チャッカー８、スルーチャッカー１０、図柄変動表示装置５７等が配設されている。
【００３５】
図柄変動表示装置５７は、長方形状を呈する液晶ディスプレイを備え、左図柄列、中図柄列及び右図柄列の３つの表示列が画面表示される。各図柄列は複数の図柄によって構成されており、これら図柄が各図柄列毎にスクロールされるように表示画面に可変表示されるようになっている。
【００３６】
図柄変動表示装置５７の制御を行う表示制御回路７１を搭載した表示制御基板、後述するスピーカ５９における音声出力の制御を行う音声制御基板等を含む各種の制御基板は、図２に示すように、遊技盤５の背面側に設けた透明樹脂製の裏パック５ａによって覆われている。また、パチンコ機１の主制御を行う主制御回路７０を搭載したメイン基板はメイン基板ボックス５ｂに、入賞による遊技球の払い出しやカードユニットからの貸し出し要求に基づいて遊技球の払い出しを行う払出ユニット７４の制御を行う払出制御回路７３及び遊技球の発射を行う発射装置３１の制御を行う発射制御回路を搭載した払出発射制御基板は払出発射制御基板ボックス５ｃにそれぞれ収納されている。
【００３７】
また、可変入賞装置７は、通常、遊技球Ｂが入賞できない状態又は入賞し難い状態になっている。より詳しくは、作動チャッカー８に対し遊技球Ｂが入賞することに基づいて、図柄変動表示装置５７の液晶表示部の図柄が可変表示される。そして、確定された図柄の組合わせが予め設定した特定の図柄の組合わせとなったこと、ここでは停止した図柄が特定の組み合わせであることを必要条件に特別遊技状態が発生し、可変入賞装置７の大入賞口が所定の開放状態となり（具体的には所定時間、所定回数だけ開く）、遊技球Ｂが入賞しやすい状態（大当り遊技状態）になるよう構成されている。尚、図柄変動表示装置５７において変動表示される複数の図柄列のうち、１つを除く他の図柄列の停止時の組合せが大当り図柄の組合せであるリーチ遊技状態となったときに、図柄変動表示装置５７においてリーチ演出画面が表示されると共に、リーチ遊技状態の発生がスピーカ５９から出力される効果音によって報知される。
【００３８】
また、周知のとおり、前記一般入賞口６、可変入賞装置７、作動チャッカー８に遊技球Ｂが入賞して図示しない入賞感知スイッチを通過することに基づいて、払出ユニット７４より後述する上皿５４（場合によっては下皿５３）に対し所定数の遊技球が景品球として払い出されるようになっている。また、遊技盤５には、遊技球Ｂの落下方向を適宜分散、調整等するために多数の釘が植設されているとともに、風車９等の各種部材（役物）が配設されている。
【００３９】
さて、本体枠３は、図３に示すように、外形が前記外枠２とほぼ同一形状をなす樹脂ベース１１と、この樹脂ベース１１の最内周側に位置し略円弧状をなすよう一体形成された内レール１２と、主として図の左側の内レール１２に対し所定間隔を隔てて前記樹脂ベース１１に一体形成された外レール１３とを備えている。これら内レール１２及び外レール１３は遊技球発射ハンドル５２の回動操作に基づき発射装置３１から発射された遊技球Ｂを遊技盤５上部へ案内する発射路としての役割を主として果たすものである。従って、内レール１２と外レール１３とが並行する部分（向かって左側の部分）によって、誘導レールが構成されることとなる。
【００４０】
前記内レール１２の下端部付近において、遊技盤５には遊技球Ｂを導出するアウト口２５が形成されている。そして、遊技盤５の下部に落下した遊技球の多くは、このアウト口２５を通って図示しない球排出路の方へと案内されるようになっている。このような構成の下、本体枠３の内周側の窓孔によって主として遊技領域１４の外縁部１４ａが確定されており、本体枠３に対し遊技盤５が装着された状態にあっては、内レール１２及び外レール１３が遊技盤５に当接又は近接した状態となる。そして、発射装置３１により発射された遊技球Ｂは、主として外レール１３によって遊技盤５の上部へと案内される。また、遊技盤５には、遊技球の払い出しを行う払出口３２が設けられ、この払出口３２に連通するようにガラス扉枠４側に払出口４５が設けられている。
【００４１】
次に、遊技領域１４について説明する。本実施の形態では、遊技領域１４を、パチンコ機１の正面から見て、内レール１２及び外レール１３によって囲まれる領域のうち、内外レール１２，１３の並行部分である誘導レールの領域を除いた略円形状の領域としている。また、パチンコ機１において、外レール１３の最上部地点から遊技盤５下部までの間の距離は４６２ｍｍ、外レール１３の極左位置から内レール１２の極右位置までの間の距離は４４９ｍｍとなっている。また、内レール１２の極左位置から内レール１２の極右位置までの間の距離は４３２ｍｍとなっている。尚、遊技領域１４の形状は、略円形状には限られず、略楕円形状としても構わない。
【００４２】
併せて、図１乃至図２に示すように、ガラス扉枠４の存在していない本体枠３下部は、例えばＡＢＳ樹脂よりなる下皿ユニット５１となっている。尚、下皿ユニット５１の構成については後述する。
【００４３】
次に、ガラス扉枠４の構成について図１，図２等を参照しつつ説明する。ガラス扉枠４の略中央には、遊技領域１４の殆どを外部から視認することができるように略円形状の視認窓４１が形成されている。また、視認窓４１の左端と、ガラス扉枠４の左端との間の最短距離（いわゆる左側部フレーム部分の左右幅）は、ガラス扉枠４自体の強度及び支持強度を高めるために比較的大きく設定されている。より詳しくは、ガラス扉枠４が閉じられた状態において、外レール１３の左側部は勿論、内レール１２の左側部も前記左側部フレーム部分によって覆い隠される。すなわち、誘導レールの一部が覆い隠される。このように遊技球Ｂが一時的に視認困難となったとしても、それは、遊技球Ｂが遊技領域１４に案内される通過点に過ぎず、遊技者が主として遊技を楽しむ遊技領域１４において遊技球Ｂが視認困難となるわけではない。そのため、実際の遊技に際しては何ら支障が生じない。また、このような支障が生じない一方で、ガラス扉枠４の十分な強度及び支持強度が確保可能となっている。
【００４４】
また、ガラス扉枠４には、裏側から一対のガラス板４２が並行して取り付けられている。ベース部４０の左右方向の長さは、本体枠３とほぼ同等であり、そのガラス扉枠４によって本体枠３下部に設けられた下皿ユニット５１を除く殆どの部分が覆われるようになっている。また、視認窓４１の周囲には、電球やＬＥＤからなる電飾部材４６が配設されている。
【００４５】
ガラス扉枠４の視認窓４１下方の下部フレームには、上皿５４が一体的に設けられている。上皿５４は、図４の平面図に示すように、合成樹脂製の皿本体５５と、皿本体５５を囲む合成樹脂製の皿カバー体５６とから構成されている。
【００４６】
皿本体５５は、払出ユニット７４より払出し口３２，４５を介して払い出された遊技球及び遊技者により投入された遊技球を貯留する凹状の貯留部５５ａを有し、貯留部５５ａの底部は右下がりに緩やかに傾斜している。また、貯留部５５ａには、右側に向かって徐々に幅狭となるように形成されると共に、貯留された遊技球を一列に整流してガラス扉枠４の図示しない供給穴を通して発射装置３１に誘導する整流部５５ｂが設けられている。整流部５５ｂの底面には、細長い長方形状の金属板５５ｃが装着されている。金属板５５ｃは、遊技球の流れをスムーズにする機能、底面を補強して摩擦による削れを防止する機能、ノイズを防止する機能等を有している。さらに、整流部５５ｂの最も低い位置に球抜き穴５５ｄが形成されている。
【００４７】
また、皿本体５５には、球抜き穴５５ｄを通して、貯留部５５ａ内に貯留された遊技球を余剰球通路５５ｆを通して下皿５３へ排出するための球抜き機構６０が設けられている。尚、図５は、上皿の球抜き機構６０を示す正面断面図である。球抜き機構６０は、図５に示すように、操作レバー６１と、球抜きレバー６２と、開閉シャッター６３と、引張りばね６４とを備えている。操作レバー６１は、球抜き操作を行うための操作部材であり、皿本体５５の右側後方の上面に配設されている。この操作レバー６１は、球抜きレバー６２を介して開閉シャッター６３に連結されている。開閉シャッター６３は、皿本体５５に設けられたレバーガイド部５５ｅによって左右方向に摺動可能に案内され、球抜き穴５５ｄを開閉できるようになっている。また、この球抜きレバー６２は、皿本体５５との間に所定の張力をもって介装された引張りばね６４によって、常時、球抜き穴５５ｄを閉じる方向（図５中の右側）に付勢されており、遊技者によって球抜き操作レバー６１が操作されたときのみ、引張りばね６４の付勢力に抗して図５中左側に移動して、球抜き穴５５ｄを開くようになっている。
【００４８】
ここで、パチンコ機１における遊技球の払出し制御の流れについて、図６のブロック図を参照しつつ説明する。発射装置３１によって遊技盤５の遊技領域１４内に打ち込まれた遊技球Ｂが入賞口（普通入賞チャッカー６、可変入賞装置７、作動チャッカー８、スルーチャッカー１０）に入賞して図示しない入賞感知スイッチを通過すると、入賞信号が送出されて主制御回路７０に入力される。入賞信号が入力された主制御回路７０は、賞球払出しコマンドを払出制御回路７３に送出する。賞球払出しコマンドを受信した払出制御回路７３は、そのコマンドを解析し、主制御回路７０から要求された賞球個数分の遊技球を、払出し口４５を介して皿本体５５の貯留部５５ａ内に払い出す。尚、図７は、上皿５４に遊技球の払出しが行われている状態を示す平面図である。
【００４９】
ガラス扉枠４前面の視認窓４１と上皿５４との間には、遊技球の貸し出しに関する操作を行うための貸球操作部４８が配設されている。貸球操作部４８は、図１等に示すように、遊技球の貸し出し可能状態をランプによって示す貸出ボタンランプ４８ａ、遊技球の貸し出しを行うための貸出ボタン４８ｂ、プリペイドカードの返却を行うための返却ボタン４８ｃ、プリペイドカードの残り度数を表示する度数表示ＬＥＤ４８ｄとを備えている。
【００５０】
次に、本体枠３前面下部に設けられた下皿ユニット５１の構成について、図８乃至図１１を参照しつつ説明する。尚、図８は、下皿ユニット５１を示す正面図である。図９は、下皿ユニット５１を示す背面図である。図１０（ａ）は、灰皿６５が下皿５３の貯留部５３ｄの灰皿配置領域５３ｉに配置された状態を示す下皿ユニット５１の平面図、（ｂ）は（ａ）のＡ−Ａ線断面図、（ｃ）は（ａ）のＢ−Ｂ線断面図である。図１１は、下皿ユニット５１の底面部５３ｂの内部構造を示す平面図であり、（ａ）は球抜き穴５３ｅが閉じた状態を、（ｂ）は球抜き穴５３ｅが開放された状態をそれぞれ示している。図１２（ａ）は、灰皿６５が灰皿収納部材６６の空間部６６ａ内に収納された状態を示す下皿ユニット５１の平面図、（ｂ）は（ａ）のＣ−Ｃ線断面図、（ｃ）は（ａ）のＤ−Ｄ線断面図である。尚、下皿５３が、本発明の受皿を構成するものである。
【００５１】
図８に示すように、下皿ユニット５１の右下部からは、遊技球発射用ハンドル５２が手前側に延設されている。また、下皿ユニット５１には、遊技球発射用ハンドル５２の左側近傍から本体枠３左端近傍まで球受け皿としての景品球払出用の下皿５３が設けられている。
【００５２】
下皿５３は、図８、図１０等に示すように、本体枠３に対して平行に装着される当板５３ａと、当板５３ａの下部より前方へ突出する底面部５３ｂと、底面部５３ｂの前方及び左右を囲むように立設された周壁部５３ｃとを備え、これら各部材によって凹状の貯留部５３ｄが形成されている。当板５３ａには、上皿５４から誘導された遊技球の通路である余剰球通路５５ｆの下端に接続された払出し口５８が設けられると共に、背面側にスピーカ５９が配設されている。また、底面部５３ｂと周壁部５３ｃとは、樹脂成型により一体的な皿体として形成されている。
【００５３】
底面部５３ｂの中央よりやや右寄り位置には、遊技球を下方へ排出するための球抜き穴５３ｅが設けられ、常には、図１１（ａ）に示すように、底面部５３ｂ内部に配設されたスライド板５３ｆがスライド板用バネ５３ｇによって右方向に付勢されて球抜き穴５３ｅがスライド板５３ｆによって塞がれた状態となっている。そして、周壁部５３ｃ前面に設けられた球抜きつまみ５３ｈをスライド板用バネ５３ｇの弾性力に抗して左方向に動かすと、図１１（ｂ）に示すように、球抜きつまみ５３ｈに接続されたスライド板５３ｆが左方向に移動して球抜き穴５３ｅが開放され、貯留部５３ｄ内に貯留された遊技球を下皿５３の外部へ排出可能となる。
【００５４】
下皿５３の中央と左端との略中間位置には、図８、図１０（ａ），（ｃ）に示すように、周壁部５３ｃ前面上端と当板５３ａとの間に装架されて貯留部５３ｄの上方空間を所定の高さで左右に仕切る仕切り板５３ｉが立設されている。そして、貯留部５３ｄにおいて仕切り板５３ｉと周壁部５３ｃ左端との間が、灰皿６５を使用可能な状態で配置するための灰皿配置領域５３ｊとなっている。尚、灰皿配置領域５３ｊが、本発明の「受皿の貯留部内に設定された第１位置」に相当する。
【００５５】
灰皿６５は、上面開口部６５ａを有する耐熱性樹脂製の箱状部材であり、常には、図８、図１０（ａ），（ｂ）に示されるように、灰皿配置領域５３ｊ内に上面開口部６５ａを上方に向けて載置される。灰皿６５が貯留部５３ｄの灰皿配置領域５３ｊに載置された状態では、貯留部５３ｄにおいて仕切り板５３ｉの右側領域のみが遊技球を貯留可能な領域となっている。
【００５６】
灰皿６５の前面上部には、前方に突出するツバ部６５ｂが設けられ、ツバ部６５ｂの中央には煙草置き用凹部６５ｃが前後方向に形成されている。煙草置き用凹部６５ｃは、１本の煙草と略同一の直径を有する断面略半円形の凹溝であり、吸いかけの煙草を転がることなく置くことができる。
【００５７】
下皿ユニット５１において灰皿配置領域５３ｉ後方には、灰皿収納部材６６が配設されている。灰皿収納部材６６は、灰皿６５の正面サイズより一回り大きいサイズで前面側が開口形成された空間部６６ａを有する合成樹脂製の箱状部材であり、灰皿６５が上面開口部６５ａを上方に向けた状態で空間部６６ａ内に収納可能となっている。図１２に示すように、灰皿６５が灰皿収納部材６６の空間部６６ａ内に収納された状態では、貯留部５３ｄにおいて仕切り板５３ｉより左側の灰皿配置領域５３ｊが開放されるため、遊技球が仕切り板５３ｉの下方を左右に流動可能であり、灰皿配置領域５ｊｉを含む貯留部５３ｄ全体が遊技球を貯留可能な領域となっている。尚、灰皿収納部材６６の空間部６６ａ内が、本発明の「受皿の貯留部外に設定された第２位置」に相当する。
【００５８】
次に、下皿５３の貯留部５３ｄにおける遊技球を貯留可能な領域の変化について、灰皿６５を下皿５３の貯留部５３ｄ内の灰皿配置領域５３ｊに配置した状態と、灰皿６５を灰皿配置領域５３ｊ後方の灰皿収納部材６６に収納した状態とを比較して説明する。灰皿６５を下皿５３の灰皿配置領域５３ｊに配置した状態では、図１３（ａ）に示すように、遊技球は貯留部５３ｄの灰皿配置領域５３ｊを除く仕切り板５３ｉの右側領域のみに貯留される。一方、灰皿６５を後方へ摺動移動させて灰皿収納部材６６の空間部６６ａ内に収納した状態では、図１３（ｂ）に示すように、灰皿配置領域５３ｊが開放されているので、灰皿配置領域５３ｊを含む貯留部５３ｄ全体にて遊技球を貯留可能となる。従って、図１３（ｂ）の状態では、図１３（ａ）の状態と比較して遊技球の貯留可能量が１．３倍程度に増大されている。
【００５９】
一方、灰皿６５を掃除する際には、図１４に示すように、下皿５３から灰皿６５を取り外して上面開口部６５ａをゴミ箱の上方で下向きにすることにより、煙草の吸殻等をゴミ箱内へ捨てることができる。
【００６０】
以上詳述したことから明らかなように、本実施形態のパチンコ機１によれば、灰皿６５を下皿５３の貯留部５３ｄ内に設定された第１位置としての灰皿配置領域５３ｊに配置することができるので、本体枠３前面に下皿５３とは別に灰皿６５を配設するためのスペースを確保する必要がなく、下皿５３は左側において本体枠３の左端近傍まで延設された大型のサイズが実現可能となっている。特に、下皿５３の貯留部５３ｄ内は、遊技者の手が届きやすく且つ遊技の邪魔にならないので、灰皿６５の配設位置として適切である。また、灰皿６５を下皿５３の貯留部５３ｄ内の灰皿配置領域５３ｊから貯留部５３ｄ外に設定された第２位置としての灰皿収納部材６６の空間部６６ａ内に移動させることにより、灰皿配置領域５３ｊを含む下皿５３の貯留部５３ｄ全体に遊技球の貯留空間が拡大され、上皿５４から誘導された遊技球、本体枠３より払い出された遊技球又は発射装置３１によって発射された遊技球のうち遊技盤５に到達しなかった遊技球をより多く貯留可能となる。よって、常には灰皿６５を灰皿配置領域５３ｊに位置させておき、大当り遊技状態等が発生して本体枠３から払い出される遊技球が急増した場合に、灰皿６５を灰皿収納部材６６の空間部６６ａ内に移動させて下皿５３の貯留部５３ｄにおける遊技球の貯留空間を拡大することができるので、下皿５３の貯留部５３ｄが遊技球で満杯になるまでの時間を延長して、その間に遊技球貯留箱（いわゆるドル箱）を用意することが可能となる。
【００６１】
また、貯留部５３ｄ外に設定される第２位置が、本体枠３側に設けられた灰皿収納部材６６の空間部６６ａ内に設定されているので、灰皿６５が本体枠３から外方へ突出して遊技の邪魔になることを防止することができる。また、灰皿収納部材６６の空間部６６ａは、灰皿配置領域５３ｊ後方にて開口形成されているので、灰皿６５を前後方向に摺動移動させる簡単な操作で、灰皿配置領域５３ｊと灰皿収納部材６６の空間部６６ａ内との間で灰皿６５の移動を行うことができる。
【００６２】
また、灰皿６５が上面開口部６５ａを上方に向けた姿勢で灰皿配置領域５３ｊに配置されるので、灰皿６５が下皿５３の貯留部５３ｄ内に配置された状態で灰皿６５を使用する（つまり、煙草の灰や吸殻を灰皿６５の上面開口部６５ａへ投入する）ことができる。よって、例えば、遊技者が喫煙中であって灰皿６５を使用したい場合は、灰皿６５を灰皿配置領域５３ｊに配置しておくことにより、遊技者の手が届きやすく且つ遊技の邪魔にならない位置で灰皿６５を使用することができる。
【００６３】
また、灰皿６５が上面開口部６５ａを上方に向けた姿勢で灰皿配置領域５３ｊと灰皿収納部材６６の空間部６６ａ内との間を移動可能であるので、煙草の灰や吸殻を灰皿６５の上面開口部６５ａ内に収容したままの状態で、灰皿６５を灰皿配置領域５３ｊから灰皿収納部材６６の空間部６６ａへ移動させて下皿５３の貯留部５３ｄにおける遊技球の貯留空間を拡大することができる。
【００６４】
また、灰皿６５が灰皿配置領域５３ｊに位置する状態で、前面上部より前方へ突出形成されたツバ部６５ｂが下皿５３の周壁５３ｃ上端面に重なるので、遊技者が灰皿６５の上面開口部６５ａ内に煙草の灰や吸殻を捨てる際に、灰皿６５と下皿５３との隙間から貯留部５３ｄ内に煙草の灰が入り込むことを防止することができる。
【００６５】
また、灰皿配置領域５３ｊに位置する灰皿６５及び下皿５３の貯留部５３ｄにおける貯留可能領域（灰皿６５により占有された領域以外の右側領域）の上方空間が仕切り部材としての仕切り板５３ｉによって仕切られているので、灰皿６５の上面開口部６５ａ内に収容された煙草の灰が、遊技ホール内における人の移動に伴う風やエアコンから吹き出される風に飛ばされて、隣接する貯留部５３ｄの貯留可能領域内に入ることを防止することができる。尚、仕切り板５３ｉと底面部５３ｂとの間に遊技球が通過可能な開口が形成されているので、灰皿６５が灰皿収納部材６６の空間部６６ａ内に移動されて下皿５３の貯留部５３ｄにおける貯留可能領域が拡大された状態において、遊技球は仕切り板５３ｉによって移動を妨げられることなく貯留部５３ｄ内全体を移動することができる。
【００６６】
次に、本発明の第二の実施形態について、図１５乃至図１６を参照しつつ説明する。図１５（ａ）は、第二の実施形態において灰皿６５が貯留部５３ｄの灰皿配置領域５３ｊに載置された状態を示す断面図（第一の実施形態の図１０（ｂ）に相当）、（ｂ）は灰皿６５が貯留部５３ｄの前方へ回動された状態を示す断面図である。図１６は、第二の実施形態において遊技球が貯留された下皿ユニット５１を示す平面図であり、（ａ）は灰皿６５が下皿５３の貯留部５３ｄ内に配置された状態を、（ｂ）は灰皿６５が前方に回動された状態をそれぞれ示している。図１７は、灰皿６５の上面開口部６５ａ内に収容された煙草の吸殻や灰をゴミ箱へ捨てる様子を示す図である。尚、第一の実施形態と同一の部材には同一の符号を付し、それらの部材についての詳細な説明は省略する。
【００６７】
本実施形態では、灰皿６５は、ツバ部６５ｂ前面においてヒンジ６５ｄを介して下皿５３の周壁部５３ｃ上端面に連結され、前後方向に回動可能となっている。そして、常には、図１５（ａ）に示すように、灰皿６５が下皿５３の灰皿配置領域５３ｊに載置される。一方、灰皿６５を使用しない場合、図１５（ｂ）に示すように、灰皿６５を周壁部５３ｃの前方側に回動させて灰皿配置領域５３ｊを開放することにより、下皿５３の貯留部５３ｄにおける遊技球の貯留可能領域を拡大することができる。
【００６８】
そして、灰皿６５が下皿５３の貯留部５３ｄ内に位置する状態で遊技球を貯留する場合、図１６（ａ）に示すように、遊技球は仕切り板５３ｉの右側の領域のみに貯留されている。また、灰皿６５が前方へ回動された状態で遊技球が貯留する場合、図１６（ｂ）に示すように、遊技球は下皿５３の貯留部５３ｄ全体に貯留されており、遊技球の貯留量は図１６（ａ）の状態と比較して１．３倍程度に増大されている。
【００６９】
一方、灰皿６５を掃除する際には、図１７に示すように、下皿５３の周壁部５３ｃ前方にゴミ箱を配置した状態で、灰皿６５を前方へ回動させる簡単な操作を行うことにより、上面開口部６５ａ内の煙草の吸殻等をゴミ箱内へ捨てることができる。
【００７０】
以上詳述したことから明らかなように、本実施形態によれば、下皿５３の周壁部５３ｃに回動可能に軸支された灰皿６５を灰皿配置領域５３ｊ（第１位置）から周壁部５３ｃの前方（第２位置）へ回転移動させる簡単な操作で、下皿５３の貯留部５３ｄにおける遊技球の貯留空間を拡大することができる。
【００７１】
次に、本発明の第三の実施形態について、図１８乃至図１９を参照しつつ説明する。図１８（ａ）は、第三の実施形態において灰皿６５が貯留部５３ｄの灰皿配置領域５３ｊに載置された状態を示す断面図（第一の実施形態の図１０（ｂ）に相当）、（ｂ）は灰皿６５が灰皿収納部６６に収納された状態を示す断面図である。図１９は、灰皿６５の上面開口部６５ａ内に収容された煙草の吸殻や灰をゴミ箱へ捨てる様子を示す図である。尚、第一の実施形態と同一の部材には同一の符号を付し、それらの部材についての詳細な説明は省略する。
【００７２】
本実施形態では、灰皿６５が台車６７を介して灰皿配置領域５３ｊと灰皿収納部材６６の空間部６６ａ内との間を移動可能に構成されている。台車６７は、下部に複数のローラ６７ａを備えており、台車６７に前後方向の外力を加えることによりローラ６７ａが回転し、灰皿配置領域５３ｊと灰皿収納部材６６の空間部６６ａ内との間を移動することができる。灰皿６５は、台車６７上面に載置され且つヒンジ６７ｂを介して台車６７の前側上部に連結されて前後に回動可能となっている。そして、常には、図１８（ａ）に示すように、灰皿６５が台車６７上に載置された状態で灰皿配置領域５３ｊに配置される。一方、灰皿６５を使用しない場合、図１８（ｂ）に示すように、灰皿配置領域５３ｊ後方の灰皿収納部６６の空間部６６ａ内に灰皿６５が台車６７上に載置された状態で収納して灰皿配置領域５３ｊを開放することにより、下皿５３の貯留部５３ｄにおける遊技球の貯留可能領域を拡大することができる。
【００７３】
一方、灰皿６５を掃除する際には、図１９に示すように、下皿５３の周壁部５３ｃ前方にゴミ箱を配置した状態で、灰皿６５を載置した台車６７を灰皿配置領域５３ｊに位置させると共に、灰皿６５を前方へ回動させる簡単な操作を行うことにより、上面開口部６５ａ内に収容された煙草の吸殻等をゴミ箱内へ捨てることができる。
【００７４】
以上詳述したことから明らかなように、本実施形態によれば、灰皿配置領域５３ｊ（第１位置）と灰皿収納部材６６の空間部６６ａ内（第２位置）との間を移動可能な可動体としての台車６７に灰皿６５が取り付けられているので、灰皿６５の構成を複雑化することなく、灰皿配置領域５３ｊと灰皿収納部材６６の空間部６６ａ内との間を円滑に移動可能な構成を実現することができる。
【００７５】
また、本実施形態は、灰皿の上面開口部を上方に向けた姿勢で灰皿配置領域５３ｊと灰皿収納部材６６の空間部６６ａ内との間を移動可能であるという第一の実施形態と同様の効果と、掃除の際には灰皿６５を前方へ回動させる簡単な操作で上面開口部６５ａ内に収容された煙草の吸殻等をゴミ箱内へ捨てることができるという第二の実施形態と同様の効果との両方を奏することができる。
【００７６】
尚、本発明は上述した各実施の形態に限定されるものではなく、本発明の主旨を逸脱しない範囲で種々の変更を施すことが可能である。
【００７７】
例えば、前記第一の実施の形態において、灰皿６５を下皿５３の灰皿配置領域５３ｊ又は灰皿収納部材６６の空間部６６ａ内において、灰皿６５がずれないように保持する保持手段を設ける構成としてもよい。例えば、図２０に示すように、灰皿６５の前面及び背面に磁石６５ｍ，６５ｎをそれぞれ配設すると共に、灰皿６５が灰皿配置領域５３ｊに載置された状態で灰皿６５前面に当接する下皿５３の周壁部５３ｃ内面、及び灰皿６５が灰皿収納部６６に収納された状態で灰皿６５背面に当接する灰皿収納部６６の後部内面にそれぞれ磁石５３ｍ，６６ｍを配設する。但し、磁石５３ｍと６５ｍ、６５ｎと６６ｍは、それぞれ逆極性同士（Ｎ極とＳ極）が向き合うように配置される。従って、図２０（ａ）に示すように、灰皿６５が灰皿配置領域５３ｊに載置された状態では、磁石５３ｍと６５ｍとが近接して対向し、互いの磁力により引き合うため、灰皿６５前面が下皿５３の周壁部５３ｃ内面に保持される。一方、図２０（ｂ）に示すように、灰皿６５が灰皿収納部６６の空間部６６ａに収納された状態では、磁石６５ｎと６６ｍとが近接して対向し、互いの磁力により引き合うため、灰皿６５背面が灰皿収納部６６の後部内面に保持される。また、灰皿６５を前後に移動させるときは、下皿５３の周壁部５３ｃ内面又は灰皿収納部６６の後部内面より磁力に抗して灰皿６５を引き離せばよい。尚、磁石５３ｍ及び６５ｍが、本発明の第１保持手段を、磁石６５ｎ及び６６ｍが第２保持手段をそれぞれ構成するものである。
【００７８】
また、前記第二の実施形態では、灰皿６５が下皿５３の周壁部５３ｃに回動可能に軸支される構成であったが、本体枠３の下皿５３以外の部材に回動可能に軸支される構成としてもよい。
【００７９】
また、前記第三の実施形態では、灰皿６５が台車６７に回動可能に軸支される構成であったが、灰皿６５が台車６７に着脱可能に取り付けられる構成としてもよい。本変形例によれば、台車６７が下皿５３側に載置された状態で、灰皿６５のみを取り外して、上面開口部６５ａ内に収容された煙草の灰や吸殻をゴミ箱等へ廃棄することができる。
【００８０】
また、前記各実施形態では、灰皿６５が下皿５３の貯留部５３ｄの内外を移動可能な構成としたが、本体枠３より払い出された遊技球を貯留して発射装置３１へ供給する上皿５４の貯留部５５ａの内外を移動可能な構成としてもよい。本変形例によれば、灰皿６５を上皿５４の貯留部５５ａ内に設定された第１位置に位置させることができるので、本体前面に上皿５４とは別に灰皿６５を配設するためのスペースを確保する必要がなく、上皿５４の大型化が可能となる。また、灰皿６５を上皿５４の貯留部５５ａ内に設定された第１位置から上皿５４の貯留部５５ａ外に設定された第２位置へ移動させることにより、上皿５４の貯留部５５ａ全体に遊技球の貯留空間が拡大され、本体より払い出された遊技球をより多く貯留可能となる。
【００８１】
また、前記各実施形態では、本発明をパチンコ遊技機に適用した例を示したが、遊技の実行に応じて遊技媒体の払出を行う本体と、底面部と周壁部とを有する凹状の貯留部内に前記遊技媒体を貯留する受皿と、煙草の灰や吸殻の受け口となる上面開口部を有する箱状の灰皿とを備えた遊技機であれば、他の種類の遊技機にも適用可能である。
【００８２】
例えば、本発明を、複数種類の図柄が表示された複数の回転リールを有し、前記各回転リールの回転停止時の図柄の組合わせに基づく入賞態様に応じて遊技媒体としての遊技球が球受皿に払い出されるパチロット遊技機に適用してもよい。本発明を適用したパチロット遊技機によれば、灰皿を適切な位置に配置しつつ、球受皿の貯留空間を拡大することが可能となる。
【００８３】
また、本発明を、遊技媒体としてメダルを用いるスロットマシンに適用してもよい。尚、スロットマシンでは、メダルを貯留するメダル受皿が本発明の受皿を構成する。本発明を適用したスロットマシンによれば、灰皿を適切な位置に配置しつつ、メダル受皿の貯留空間を拡大することが可能となる。
【産業上の利用可能性】
【００８４】
本発明は、遊技媒体を貯留する受皿と煙草の灰や吸殻を入れる灰皿とを備えた各種の遊技機に適用可能である。
【図面の簡単な説明】
【００８５】
【図１】本発明の第一の実施形態のパチンコ機を示す正面図である。
【図２】第一の実施形態のパチンコ機を示す側面図である。
【図３】第一の実施形態においてガラス扉枠を開放した状態における本体枠、遊技盤等を示す正面図である。
【図４】第一の実施形態における上皿を示す平面図である。
【図５】第一の実施形態において上皿の球抜き機構を示す正面断面図である。
【図６】遊技球の払出制御の流れを示すブロック図である。
【図７】上皿に遊技球の払出しが行われている状態を示す平面図である。
【図８】第一の実施形態における下皿ユニットを示す正面図である。
【図９】第一の実施形態における下皿ユニットを示す背面図である。
【図１０】（ａ）は灰皿が灰皿配置領域に配置された状態を示す下皿ユニットの平面図、（ｂ）は（ａ）のＡ−Ａ線断面図、（ｃ）は（ａ）のＢ−Ｂ線断面図である。
【図１１】底面部の内部構造を示す下皿ユニットの平面図であり、（ａ）は球抜き穴が閉じた状態を、（ｂ）は球抜き穴が開いた状態をそれぞれ示している。
【図１２】（ａ）は灰皿が灰皿収納部材の空間部内に収納された状態を示す下皿ユニットの平面図、（ｂ）は（ａ）のＣ−Ｃ線断面図、（ｃ）は（ａ）のＤ−Ｄ線断面図である。
【図１３】第一の実施形態において遊技球が貯留された下皿ユニットを示す平面図であり、（ａ）は灰皿が灰皿配置領域に配置された状態を、（ｂ）は灰皿が灰皿収納部に収納された状態をそれぞれ示している。
【図１４】第一の実施形態において灰皿を掃除する様子を示す説明図である。
【図１５】（ａ）は第二の実施形態において灰皿が灰皿配置領域に配置された状態を示す下皿の断面図、（ｂ）は灰皿を前方に回動した状態を示す下皿の断面図である。
【図１６】第二の実施形態において遊技球が貯留された下皿ユニットを示す平面図であり、（ａ）は灰皿が灰皿配置領域に配置された状態を、（ｂ）は灰皿が前方に回動された状態をそれぞれ示している。
【図１７】第二の実施形態において灰皿を掃除する様子を示す説明図である。
【図１８】（ａ）は第三の実施形態において灰皿が灰皿配置領域に配置された状態を示す下皿の断面図、（ｂ）は灰皿が灰皿収納部材に収納された状態を示す下皿の断面図である。
【図１９】第三の実施形態において灰皿を掃除する様子を示す説明図である。
【図２０】（ａ）は第一の実施形態の変形例において灰皿が灰皿配置領域に配置された状態を示す下皿の平面図、（ｂ）は灰皿が灰皿収納部材に収納された状態を示す下皿の断面図である。
【図２１】（ａ）は従来例のパチンコ機を示す正面図であり、（ｂ）は（ａ）のパチンコ機の下皿を示す平面図である。
【符号の説明】
【００８６】
１    パチンコ遊技機
３    本体枠（本体）
５１    下皿ユニット
５３    下皿（受皿、球受皿）
５３ｂ  底面部
５３ｃ  周壁部
５３ｄ  貯留部
５３ｉ  仕切り板（仕切り部材）
５３ｊ  灰皿配置領域（第１位置）
５３ｍ  磁石（第１保持手段）
５４    上皿
６５    灰皿
６５ａ  上面開口部
６５ｂ  ツバ部
６５ｃ  煙草置き用凹部
６５ｍ  磁石（第１保持手段）
６５ｎ  磁石（第２保持手段）
６６    灰皿収納部材
６６ａ  空間部（第２位置）
６６ｍ  磁石（第２保持手段）
６７    台車（可動体）
【図１】
2006346307.tif 000003
【図２】
2006346307.tif 000004
【図３】
2006346307.tif 000005
【図４】
2006346307.tif 000006
【図５】
2006346307.tif 000007
【図６】
2006346307.tif 000008
【図７】
2006346307.tif 000009
【図８】
2006346307.tif 000010
【図９】
2006346307.tif 000011
【図１０】
2006346307.tif 000012
【図１１】
2006346307.tif 000013
【図１２】
2006346307.tif 000014
【図１３】
2006346307.tif 000015
【図１４】
2006346307.tif 000016
【図１５】
2006346307.tif 000017
【図１６】
2006346307.tif 000018
【図１７】
2006346307.tif 000019
【図１８】
2006346307.tif 000020
【図１９】
2006346307.tif 000021
【図２０】
2006346307.tif 000022
【図２１】
2006346307.tif 000023